(57)【特許請求の範囲】
【請求項１】
データが記録されたカード媒体を搬送する搬送手段と、
この搬送手段によって搬送されるカード媒体に重ね合わされて走行するもので、保護膜を担持しこの保護膜を前記カード媒体に対向させる保護膜担持体と、
表面に突出部を有し、この突出部で前記保護膜担持体を押圧することにより、前記保護膜を前記カード媒体に転写させるもので、前記突出部のエッジ部に面取り加工を施してＲ部を形成した転写ローラと、
を具備することを特徴とする保護膜転写装置。
【請求項２】
データが記録されたカード媒体を搬送する搬送手段と、
この搬送手段によって搬送されるカード媒体に重ね合わされて走行するもので、保護膜を担持しこの保護膜を前記カード媒体に対向させる保護膜担持体と、
表面に突出部を有し、この突出部で前記保護膜担持体を押圧することにより、前記保護膜を前記カード媒体に転写させるもので、前記突出部のエッジ部に面取り加工を施してＲ部を形成した転写ローラと、
この転写ローラの前記カード媒体の搬送方向下流側にガイド軸を配置し、このガイド軸を支点に前記保護膜担持体を巻き取るもので、前記ガイド軸の径をその略中心部から両端部に向かって漸次減少させる巻取手段と、
を具備することを特徴とする保護膜転写装置。
【請求項３】
前記データは所持者の顔画像であることを特徴とする請求項１または２項に記載の保護膜転写装置。
【請求項４】
データを入力する入力手段と、
この入力手段からの入力情報によりカード媒体にデータを印刷する印刷手段と、
この印刷手段によりデータが印刷されたカード媒体を搬送する搬送手段と、
この搬送手段によって搬送されるカード媒体に重ね合わされて走行するもので、保護膜を担持しこの保護膜を前記カード媒体に対向させる保護膜担持体と、
表面に突出部を有し、この突出部で前記保護膜担持体を押圧することにより、前記保護膜を前記カード媒体に転写させるもので、前記突出部のエッジ部に面取り加工を施してＲ部を形成した転写ローラと、
を具備することを特徴とするカード作成装置。
【請求項５】
データを入力する入力手段と、
この入力手段からの入力情報によりカード媒体にデータを印刷する印刷手段と、
この印刷手段によりデータが印刷されたカード媒体を搬送する搬送手段と、
この搬送手段によって搬送されるカード媒体に重ね合わされて走行するもので、保護膜を担持しこの保護膜を前記カード媒体に対向させる保護膜担持体と、
表面に突出部を有し、この突出部で前記保護膜担持体を押圧することにより、前記保護膜を前記カード媒体に転写させるもので、前記突出部のエッジ部に面取り加工を施してＲ部を形成した転写ローラと、
この転写ローラの前記カード媒体の搬送方向下流側にガイド軸を配置し、このガイド軸を支点に前記保護膜担持体を巻き取るもので、前記ガイド軸の径をその略中心部から両端部に向かって漸次減少させる巻取手段と、
を具備することを特徴とするカード作成装置。
【請求項６】
前記データは所持者の顔画像であることを特徴とする請求項４または５記載のカード作成装置。
【発明の詳細な説明】
【０００１】
【発明の属する技術分野】
この発明は、たとえば、ＩＤカードなどと称される個人識別カードに代表される証明カードを作成するに適用される保護膜転写装置及びカード作成装置に関する。
【０００２】
【従来の技術】
この種のカード作成装置は、カード媒体にカラー顔写真および黒文字情報を印刷したのち、最終工程において、カード媒体の表面に紫外線硬化形の表面保護膜を塗布する。この紫外線硬化形の表面保護膜を塗布する際に、昇華印刷をした顔画像が色あせてしまうことを防止するための保護膜転写装置により保護膜をを形成するようになっている。
【０００３】
保護膜転写装置は転写ローラを備え、転写ローラはその表面一部に顔画像に対応する面積を有する突出部を有し、この突出部により保護膜リボンを押圧、加熱することにより顔画像に保護膜を転写させる。
【０００４】
また、保護膜リボンは送出軸から送り出され、転写ローラに対向するようにガイドシャフト間に掛け渡されて案内されたのち、巻取軸に巻き取られる。保護膜リボンは巻取軸に巻き取られるとき、ガイドシャフトを支点にしてカード媒体から剥離される。
【０００５】
【発明が解決しようとする課題】
しかしながら、従来においては、転写ローラの突出部にエッジ部があったため、カード媒体に転写される保護膜にエッジ部が形成され、保護膜リボンを剥離する工程で、保護膜のエッジ部にバリ等の転写不良が発生していた。
【０００６】
また、保護膜リボンの巻き取り時に支点となるガイドシャフトはその径が全長に亘って同一の寸法形状のものが用いられていたため、保護膜リボンがガイドシャフトを支点として巻き上げられる際にはその全幅が同時に剥離される。このため、転写された保護膜の周囲部にバリが発生し転写不良になるという問題があった。
【０００７】
この発明は、上記事情に着目してなされたもので、カード媒体に対し、保護膜にバリ等を発生させることなく、良好に転写できるようにした保護膜転写装置及びカード作成装置を提供することを目的とする。
【０００８】
【課題を解決するための手段】
この発明は、上記課題を解決するため、請求項１記載のものは、データが記録されたカード媒体を搬送する搬送手段と、この搬送手段によって搬送されるカード媒体に重ね合わされて走行するもので、保護膜を担持しこの保護膜を前記カード媒体に対向させる保護膜担持体と、表面に突出部を有し、この突出部で前記保護膜担持体を押圧することにより、前記保護膜を前記カード媒体に転写させるもので、前記突出部のエッジ部に面取り加工を施してＲ部を形成した転写ローラとを具備する。
【０００９】
請求項２記載のものは、データが記録されたカード媒体を搬送する搬送手段と、この搬送手段によって搬送されるカード媒体に重ね合わされて走行するもので、保護膜を担持しこの保護膜を前記カード媒体に対向させる保護膜担持体と、表面に突出部を有し、この突出部で前記保護膜担持体を押圧することにより、前記保護膜を前記カード媒体に転写させるもので、前記突出部のエッジ部に面取り加工を施してＲ部を形成した転写ローラと、この転写ローラの前記カード媒体の搬送方向下流側にガイド軸を配置し、このガイド軸を支点に前記保護膜担持体を巻き取るもので、前記ガイド軸の径をその略中心部から両端部に向かって漸次減少させる巻取手段とを具備する。
【００１０】
請求項４記載のものは、データを入力する入力手段と、この入力手段からの入力情報によりカード媒体にデータを印刷する印刷手段と、この印刷手段によりデータが印刷されたカード媒体を搬送する搬送手段と、この搬送手段によって搬送されるカード媒体に重ね合わされて走行するもので、保護膜を担持しこの保護膜を前記カード媒体に対向させる保護膜担持体と、表面に突出部を有し、この突出部で前記保護膜担持体を押圧することにより、前記保護膜を前記カード媒体に転写させるもので、前記突出部のエッジ部に面取り加工を施してＲ部を形成した転写ローラとを具備する。
【００１１】
請求項５記載のものは、データを入力する入力手段と、この入力手段からの入力情報によりカード媒体にデータを印刷する印刷手段と、この印刷手段によりデータが印刷されたカード媒体を搬送する搬送手段と、この搬送手段によって搬送されるカード媒体に重ね合わされて走行するもので、保護膜を担持しこの保護膜を前記カード媒体に対向させる保護膜担持体と、表面に突出部を有し、この突出部で前記保護膜担持体を押圧することにより、前記保護膜を前記カード媒体に転写させるもので、前記突出部のエッジ部に面取り加工を施してＲ部を形成した転写ローラと、この転写ローラの前記カード媒体の搬送方向下流側にガイド軸を配置し、このガイド軸を支点に前記保護膜担持体を巻き取るもので、前記ガイド軸の径をその略中心部から両端部に向かって漸次減少させる巻取手段とを具備する。
【００１４】
【発明の実施の形態】
以下、この発明を図面に示す一実施の形態を参照して説明する。
図１は、この発明のＩＤカード作成装置の内部構成を概略的に示す側面図である。
【００１５】
カード作成装置１は、装置本体としての筐体２を有している。筐体２の前面部には、カード媒体に印刷する個人データすなわち文字情報を入力する操作入力部４が配置されている。操作入力部４には、ＩＤカード作成装置１を単独で運用する情報および証明カードとして必要な情報を入力する第１の入力手段としての操作パネル６、所有者の顔写真データすなわち顔画像情報を直接入力する第２の入力手段としての光磁気ディスク装置８、及び、これらにより入力された情報内容や異常などを表示するための詳述しない表示装置が配置されている。
【００１６】
筐体２内の前面側上部には、顔写真および文字情報が印刷されることにより証明カード１００として発行されるための印刷前の原券であるカード媒体１０を保持するとともに順次一枚ずつ取出して供給するカード媒体供給部１２が設けられている。
【００１７】
カード媒体供給部１２は、複数枚のカード媒体１０を、被印刷面すなわち表面を上方に向けた水平状態で収納するカードホッパ１４を有している。カードホッパ１４は、作成するカードの種類あるいはカード発行機関により予め決められているカードの形式に応じて複数種用意されるとともに、カード媒体供給部１２に着脱可能に形成されている。
【００１８】
カードホッパ１４内には、収納されているカード媒体１０を、下方へ押圧する重り１６が設けられている。カードホッパ１４内のカード媒体１０は、反時計方向に回転するゴムローラからなる取出ローラ１８によって、カードホッパ１４の最下部に位置されたカード媒体１０から１枚ずつ取出される。
【００１９】
なお、カードホッパ１４のカード媒体取出し口部１４ａには、カード媒体１０を重ね取り出しをしないように、カード媒体１０の１枚の厚さよりも広く２枚の厚さよりも狭い隙間を有し、スロートナイフと呼ばれる図示しない重送防止機構が設けられている。
【００２０】
カードホッパ１４のカード送出方向には、取出し時のスロートナイフとの接触によりカード媒体１０の表面  （被印刷面）  に付着する虞れのあるごみを接着層に接着させて剥離する糊ローラ２０が配置されている。
【００２１】
糊ローラ２０のカード送出方向には、所有者の顔写真を印刷する第１の印刷手段としての感熱昇華カラー写真印刷部２２が配置されている。
感熱昇華カラー写真印刷部２２は、カード媒体１０に対して所持者  （更新者）  の顔画像をフルカラーの多色印刷するもので、減色混合法に基づいて色分解された赤  （Ｒ）  、緑  （Ｇ）  および青  （Ｂ）  のそれぞれの色成分に対して補色の関係にあるイエロー  （黄、以下Ｙまたは添字Ｙで示す）  、マゼンタ  （赤、以下Ｍまたは添字Ｍで示す）  及びシアン  （紫、以下Ｃまたは添字Ｃで示す）  の３色を逐次重ね合わせて感熱昇華印刷するために、カード媒体１０が搬送される方向に沿って順次配列されたイエロー印刷部２４Ｙ、マゼンタ印刷部２４Ｍおよびシアン印刷部２４Ｃを有している。感熱昇華印刷部２２に案内されたカード媒体１０の表面には、光磁気ディスク装置８により供給された所有者の顔写真がＹ，ＭおよびＣの３色の重ね合わせによりカラー印刷される。
【００２２】
各印刷部２４Ｙ，２４Ｍおよび２４Ｃは、詳細には、プラテンローラ２６Ｙ，２６Ｍおよび２６Ｃ、感熱印刷ヘッド２８Ｙ，２８Ｍおよび２８Ｃ、それぞれのプラテンローラと感熱印刷ヘッドとの間に中途部を介在させたＹ，ＭおよびＣの３色の感熱昇華印刷インクリボン３０Ｙ，３０Ｍおよび３０Ｃ、各インクリボン３０Ｙ，３０Ｍおよび３０Ｃの後端が巻付けられたインクリボン送出軸３２Ｙ，３２Ｍおよび３２Ｃ、ならびに、各インクリボン３０Ｙ，３０Ｍおよび３０Ｃの先端が巻付けられたインクリボン巻取軸３４Ｙ，３４Ｍおよび３４Ｃとから構成されている。
【００２３】
プラテンローラ２６Ｙ，２６Ｍおよび２６Ｃは、カード媒体１０との滑りを最小にするために、柔らかいゴムローラあるいはセラミック粉が植え込まれているセラミック植込みローラで形成されている。
【００２４】
感熱昇華カラー写真印刷部２２のカード媒体送出方向には、第２の印刷手段としての溶融転写文字印刷部３６が配置されている。
なお、写真印刷部２２が感熱昇華型の３色カラー印刷であるに対して文字印刷部３６は、溶融転写型で黒のみを印刷するものである。このことは、溶融転写型の印刷は、昇華型の印刷と比較して必要となる印加エネルギーが低いことを利用して、印刷速度を高速にするものである。すなわち、顔画像のカラー印刷に比較して印刷面積  （長手方向の長さ）  が広い文字印刷では溶融転写型の印刷が望ましい。
【００２５】
溶融転写文字印刷部３６は、カード媒体１０に、所有者の個人データすなわち文字情報を印刷する黒印刷装置であって、プラテンローラ３８、感熱印刷ヘッド４０、溶融転写インクリボン４２、インクリボン送出軸４４およびインクリボン巻取軸４６とから構成されている。
【００２６】
溶融転写文字印刷部３６のカード送り出し方向には、保護膜形成手段としての耐光性向上保護膜  （紫外線すなわちＵｌｔｒａＶｉｏｌｅｔ  保護膜）  転写部  （以下、ＵＶ保護膜転写部と示す）  ５０が配置されている。ＵＶ保護膜転写部５０は、カラー顔写真および黒文字情報が印刷されたカード媒体１０の表面に最終工程において紫外線硬化形の表面保護膜を塗布する際に、昇華印刷をした顔画像が色あせてしまうことを防止するための防護膜を形成するものである。
【００２７】
ＵＶ保護膜転写部５０のカード送出方向には、ＵＶ保護膜転写部５０から表面保護膜塗布部７０に向けてカード媒体１０を搬送するカード搬送機構が配置されている。
【００２８】
ＵＶ保護膜転写部５０によりＵＶ保護膜が溶融転写されたカード媒体１０は、クランプローラ６２によりシュート部６４に送り込まれ、シュート部６４の下方のベルトコンベア６６に移載される。詳細には、クランプローラ６２で送られたカード媒体１０の先端が落下シュート６８に突き当たると、カード媒体１０の後端  （右端）  がクランプローラ６２から離脱するとともに時計方向に回転し、落下シュート６８に沿って下方に落下する。落下シュート６８の下方の落下面には、水平状態のベルトコンベア６６が設けられていて、落下したカード媒体１０を受取って右方向へ搬送しながら、図示しない整列ガイドを介して落下により乱れた姿勢を次第に正しい姿勢にガイドをしつつ、表面保護膜塗布手段としての表面保護膜塗布部７０へ搬送する。
【００２９】
表面保護膜塗布部７０は、既に、顔写真および文字情報が印刷されたカード媒体１０の表面に、ＵＶ硬化液を塗布するもので、ピンチローラ７２、ＵＶ硬化液タンク７４、定量供給器７６および塗布ペン７８から構成されている。
【００３０】
ベルトコンベア６６で搬送されるカード媒体１０は、ピンチローラ７２によりベルトコンベア６６上にしっかり押し付けられる。カード媒体１０の表面には、塗布ペン７８を介して、ＵＶ硬化液タンク７４からＵＶ硬化液を吸い上げる定量供給器７６で定量のＵＶ硬化液が計測されて供給されたＵＶ硬化液が全面に薄く塗布される。ＵＶ硬化液は、塗布ペン７８により提供される毛細管現象により、カード媒体１０の全面に薄く拡散される。
【００３１】
ＵＶ硬化液は、硬化すると表面が非常に硬くなるので、単なるオーバコート層に比較して表面の傷が着きにくく、耐久性を向上できる。
表面保護膜塗布部７０を介してＵＶ硬化液が塗布されたカード媒体１０は、表面保護膜硬化手段としての表面保護膜硬化部８０に送られる。表面保護膜硬化部８０は、カード媒体１０上に塗布されたＵＶ硬化液を硬化させるもので、ベルトコンベア８２およびその上方に１０ｃｍ程度離して設置された水銀灯８４から構成されている。
【００３２】
ベルトコンベア６６で搬送されるカード媒体１０は、ベルトコンベア８２に移載され、ベルトコンベア８２により所定の時間をかけて搬送される。このとき、ベルトコンベア８２上の搬送されるカード媒体１０の表面には、水銀灯８４からの紫外線が照射される。これにより、塗布ペン７８からカード媒体１０の表面に塗布されたＵＶ硬化液は、所定の時間すなわちベルトコンベア８２によりカード媒体１０が搬送される間に確実に硬化される。
【００３３】
表面保護膜硬化部８０を通過したカード媒体１０すなわち完成した証明カード１００は、表面保護膜硬化部８０の図において右方向に設けられた区分集積手段としての区分集積部９０に送り込まれ、カード収容手段としてのスタッカ９２に収容されるようになっている。
【００３４】
区分集積部９０は、表面保護膜硬化部８０から送出される証明カード１００をスタッカ９２に向けて搬出するカード搬出手段としての搬送ローラ対９４を有している。すなわち、表面保護膜硬化部８０から送出された証明カード１００は、搬送ローラ対９４によりスタッカ９２の上部の開口に向けて搬送され、カードの後端が搬送ローラ対９４から離れることで、スタッカ９２の開口に落下される。
【００３５】
なお、スタッカ９２の上部に移動可能な１枚取り出しステージ９６を配置することで、証明カード１００をスタッカ９２に落下させずにステージ９６に案内すれば、図示しない外部からの取り出し口からカードを１枚ずつ抜き取ることも可能である。
【００３６】
次に、ＩＤカード作成装置１の動作を説明する。
通常の顔写真付きカードを作成する場合には、第１に、図示しない撮影装置を介して所有者の顔写真が撮影される。撮影された顔写真は、記憶媒体としての光ディスクに記憶され、光磁気ディスク装置８により顔写真データとして装置１に供給される。
【００３７】
光ディスクにより供給された顔写真データは、図示しないビデオＲＡＭまたはページメモリなどに代表される画像メモリに取り込まれ、カード媒体１０に３色のカラー印刷をするためのＹ，ＭおよびＣの印字データとして展開されて、保持される。
【００３８】
操作パネル６によりカードの作成が指示されると、カード媒体供給部１２のカードホッパ１４の最下部から、取出ローラ１８を介して、カード媒体１０が１枚ずつ取り出される。カードホッパ１４から取り出されたカード媒体１０は、糊ローラ２０によりクリーニングされ、カラー感熱昇華印刷部２２に案内される。
【００３９】
カラー感熱昇華印刷部２２に案内されたカード媒体１０の表面には、画像メモリで保持されている印字データに対応するＹ，ＭおよびＣの３色の画像の重ね合わせによりカラー印刷される。
【００４０】
感熱昇華カラー写真印刷部２２により顔画像が印刷されたカード媒体１０は、溶融転写文字印刷部３６に送り込まれる。
溶融転写文字印刷部３６に案内されたカード媒体１０の表面には、操作パネル６からの入力または図示しない外部装置あるいはフロッピーディスクにより供給される所有者の文字情報が黒により印字される。
【００４１】
溶融転写文字印刷部３６により文字情報が印刷されたカード媒体１０は、ＵＶ保護膜転写部５０に案内されてＵＶ保護膜が形成されたのち、表面保護膜塗布部７０および表面保護膜硬化部８０を介して、紫外線硬化樹脂による保護膜が形成される。
【００４２】
顔写真ならびに文字情報が印刷され、ＵＶ保護膜および紫外線硬化樹脂保護膜が形成された証明カード１００は、区分集積部９０のスタッカ９２あるいは１枚取り出しステージ９６のいづれかに排出される。
【００４３】
次に、この発明の要旨であるＵＶ保護膜転写部５０を図２乃至図５を参照して詳述する。
ＵＶ保護膜転写部５０は、顔写真および文字情報が印刷されたカード媒体１０の表面に対し最終工程において照射される紫外線により顔画像が色あせることを防止するために、顔画像にＵＶ保護膜を溶融転写するものである。
【００４４】
図中１０１，１０１は所定間隔を存して配設された搬送手段としての搬送ローラで、これら搬送ローラ１０１，１０１の上部にはカード媒体１０を挾持搬送するピンチローラ１０２，１０２が転接されているとともにカード媒体１０の搬送をガイドするガイド板１０６，１０６が配設されている。ピンチローラ１０２，１０２間の上部側にはカートリッジ１０３が設けられている。
【００４５】
カートリッジ１０３内の上部側には保護膜担持体としてのＵＶ保護膜シート５６を送り出すＵＶシート送出軸５８およびＵＶ保護膜シート５６を巻き取るＵＶシート巻取軸６０が配設されているとともに、下部側には巻き取られるＵＶ保護膜シート５６をガイドするガイドシャフト１０４，１０５が配設されている。
【００４６】
ＵＶ保護膜シート５６は、感熱印刷インクリボンと同じように支持体リボンに透明なＵＶ保護膜５６ａが連続的に形成されたシートである。
ガイドシャフト１０４，１０５間にはＵＶ保護膜シート５６を押圧加熱する転写ローラとしてのヒートローラ５４が回転自在に設けられ、このヒートローラ５４の下方部にはカード媒体１０を支持するバックアップローラ５２が回転自在に配置されている。
【００４７】
ヒートローラ５４は図３に示すように、その表面中央部にＵＶ保護膜シート５６を押圧加熱するための突出部５４ａを突設している。この突出部５４ａのエッジ部（４か所）には面取り加工が施されＲ部１０８となっている。
【００４８】
また、カートリッジ１０３の巻取側のガイドシャフト１０５は図４及び図５に示すようにカード媒体１０の上面近くに配置され、ＵＶ保護膜シート５６はガイドシャフト１０５を支点として上方へ持ち上げられることにより、剥離が始まるようになっている。このガイドシャフト１０５は略中央部から両端部に向かってその径を漸次減少するように形成され、後述するようにガイドシャフト１０５を支点とするＵＶ保護膜シート５６の持ち上げ時にはカード媒体上に図１１に示すように転写されたＵＶ保護膜５６の周囲から中心部に向かって剥離する構造になっている。
【００４９】
次に、ＵＶ保護膜５６の転写動作を図６乃至図９を参照して説明する。
まず、図６に示すように、カード媒体１０はヒートローラ５４とバックアップローラ５２との間を通り、カード媒体１０の先端が搬送ローラ１０１とピンチローラ１０２にクランプされるところまで搬送される。次に、図７に示すように、搬送ローラ１０１と同じ速度でヒートローラ５４が回転する。この回転により、図８に示すように、ヒートローラ５４の突出部５４ａによりＵＶ保護膜シート５６がバックアップローラ５２に向かって押圧される。この押圧された部分に対応する部分のＵＶ保護膜５６ａのみがカード媒体１０の顔画像上に転写される。この転写後、ＵＶ保護膜シート５６がカートリッジ１０３の巻取側のガイドシャフト１０５を支点として上方へ持ち上げられカード媒体１０から剥離される。
【００５０】
ＵＶ保護膜シート５６が剥離されたのち、カード媒体１０は搬送ローラ１０１とピンチローラ１０２により挾持され、図９に示すように排出される。
上記したように、ヒートローラ５４の突出部５４ａのエッジ部には面取り加工を施してＲ部１０８を形成するため、転写されたＵＶ保護膜５６ａのエッジ部には図１０に示すようにＲ部１０８ａが形成される。
【００５１】
従って、ＵＶ保護膜シート５６の剥離時において、従来のようにカード媒体１０上に転写された保護膜５６ａのエッジ部に図１２に示すようなバリ５６ｂ等が発生することがない。
【００５２】
また、ＵＶ保護膜シート５６はタイコ型シャフト１０５の形状に沿って剥離するため、図１１に示すように、カード媒体１０上に転写されたＵＶ保護膜５６ａの周囲から中心部に向かって剥離される。
従って、転写されたＵＶ保護膜５６ａの周囲部分においてもバリが発生することがない。
【００５３】
【発明の効果】
本発明は以上説明したように、転写ローラの突出部のエッジ部に面取り加工を施したから、保護膜担持体の剥離時、保護膜にバリ等が発生せず、良好な転写が可能になる。
【００５４】
また、保護膜担持体を剥離する際の支点になるガイド軸の径をその略中央部から両端部に向かって漸次減少させるから、保護膜担持体はカード媒体に転写された保護膜の周囲から中心に向かって剥離される。従って、保護膜の周囲部にもバリが発生せず、良好な転写が可能になる。
【図面の簡単な説明】
【図１】この発明の一実施の形態であるカード作成装置を示す概略的構成図。
【図２】保護膜転写装置を示す構成図。
【図３】転写ローラを示す斜視図。
【図４】保護膜転写装置のカートリッジを示す図。
【図５】カートリッジに取り付けられたガイドシャフトを示す図。
【図６】カード媒体がカートリッジの下部側に搬送されてきた状態を示す図。
【図７】転写ローラが保護膜シートの押圧を開始する状態を示す図。
【図８】転写ローラが保護膜シートを押圧する状態を示す図。
【図９】保護膜の転写が終了し、カード媒体が送り出される状態を示す図。
【図１０】カード媒体に転写された保護膜を示す平面図。
【図１１】保護膜シートが剥離される状態を示す斜視図。
【図１２】転写された保護膜に発生するバリを示す図。
【符号の説明】
１…ＩＤカード作成装置
６…操作パネル（入力手段）
８…光ディスク装置（入力手段）
１０…カード媒体
２２…感熱昇華カラー写真印刷部（印刷手段）
３６…溶融転写文字印刷部（印刷手段）
５０…ＵＶ保護膜転写部  （保護膜形成手段）
５４ａ…突出部
５４…ヒートローラ（転写ローラ）
５６ａ…保護膜
５６…ＵＶ保護膜シート（保護膜担持体）
６０…巻取軸（巻取手段）
１０１…搬送ローラ（搬送手段）
１０５…ガイド軸
【図１】
0003629135.tif 000002
【図２】
0003629135.tif 000003
【図３】
0003629135.tif 000004
【図４】
0003629135.tif 000005
【図５】
0003629135.tif 000006
【図６】
0003629135.tif 000007
【図７】
0003629135.tif 000008
【図８】
0003629135.tif 000009
【図９】
0003629135.tif 000010
【図１０】
0003629135.tif 000011
【図１１】
0003629135.tif 000012
【図１２】
0003629135.tif 000013